(57)【要約】【課題】チップ先端からインキ流出がスムーズかつ空気を脱泡する遠心工程において、ボール抱持室内の空気を排出し易いボールペンチップを提供する。【解決手段】底壁の中央にインキ流通孔、該インキ流通孔から放射状に延びる放射状溝を有するボール抱持室内にボールを挿置し、チップ先端部を内側にかしめることにより、ボールの一部をチップ先端部より突出させて回転自在に抱持してなるボールペンチップにおいて、前記ボール抱持室の内壁をチップ先端開口部に向けて徐々に拡径するテーパー状に形成するとともに、前記ボール抱持室のチップ先端開口部近傍に空間部を形成する。【選択図】　　　図１
2004017379.tif 000002
【特許請求の範囲】
【請求項１】
底壁の中央にインキ流通孔、該インキ流通孔から放射状に延びる放射状溝を有するボール抱持室内にボールを挿置し、チップ先端部を内側にかしめることにより、ボールの一部をチップ先端部より突出させて回転自在に抱持してなるボールペンチップにおいて、前記ボール抱持室の内壁をチップ先端開口部に向けて徐々に拡径するテーパー状に形成するとともに、前記ボール抱持室のチップ先端開口部近傍に空間部を形成したことを特徴とするボールペンチップ。
【請求項２】
前記ボール抱持室の内壁に、軸心方向に延び、チップ先端開口部に達しない凹み溝を形成したことを特徴とする請求項１に記載のボールペンチップ。
【請求項３】
前記ボールペンチップが、低粘度の油性インキ又は剪断減粘性を付与したインキを収容したボールペンのペン先部に用いることを特徴とする請求項１ないし２に記載のボールペンチップ。
【発明の詳細な説明】
【０００１】
【発明の属する技術分野】
本発明は、チップ先端部を内側にかしめることにより、ボールの一部をチップ先端部より突出させて回転自在に抱持してなるボールペンチップに関する。
【０００２】
【従来の技術】
従来から図４に示すように、従来のボールペンチップ１０１は、底壁１０４の中央にインキ流通孔１０５、該インキ流通孔から放射状に延びる放射状溝１０６を有する、内壁１０３が軸心と平行に延びるボール抱持室１０２内にボール１０９を挿置し、チップ先端部１０７を内側にかしめることにより、ボール１０９の一部をチップ先端部１０７より突出させて回転自在に抱持してなるボールペンチップ１０１についてよく知られている。こうした従来のボールペンチップ１０１は、底壁１０４付近にインキを溜めておく空間部１１１を形成しているが、空間部１１１からチップ先端開口部１０２ａまでの間隙１１２はごく僅かであり、チップ先端開口部１０２ａの近傍のインキを溜める空間部１１０もごく僅かであった。
【０００３】
チップ先端からのインキ流出は、使用するインキの種類によっても異なるが、毛細管作用やボールへの転写によって、インキ収容管に収容したインキが、インキ流通孔を通り、インキ流通孔から直接または放射状溝からボール抱持室のボールとボール抱持室の内壁との間隙を通過しチップ先端とボールの間隙から流出している。
【０００４】
前記したチップ先端までのインキ流れ、いわゆるインキ追従性について本発明者が検討した結果、ボールとチップ内壁との間隙及び空間部がインキ追従性に大きく影響し、特にチップ先端開口部に近い部分に、より多くのインキを溜めることによって、チップ先端からのインキ流出をよりスムーズにすることが解った。これはボールとチップ内壁との間隙及び空間部がインキ流路となるだけでなく、この間隙及び空間部にインキを溜めておくことによってインキ追従性をスムーズにするためと考えられる。
【０００５】
チップ先端開口部に近い部分の空間部を大きくするには、チップの肉厚を薄することが考えられるが、チップの肉厚を薄くすると、ボール抱持室全体の肉厚が薄くなるので耐衝撃性の低下や耐久性の低下の原因となる恐れがあった。だからといってチップ外径を大きくすると、筆記時にチップ先端部が被筆記面に当接する、いわゆる紙当たり現象が生じ易くなってしまう。
【０００６】
ところで、筆記具用インキとして低粘度の油性インキや剪断減粘性インキを収容したボールペンのペン先部にボールペンチップを装着した場合には、空気を排出する遠心工程を設けている。この遠心工程は、ボール抱持室などのチップ内に入り込んだ空気を強制的にチップ先端側から後端方向に向けて脱泡する工程である。しかし、遠心工程における遠心力は軸心に沿って働くため、チップ内に軸心に対し略垂直な段部を形成すると、遠心工程を行っても段部に空気が残ってしまう恐れがあった。
【０００７】
【発明が解決しようとする課題】
本発明はこれらの従来技術に鑑みてなされたものであって、チップ先端からインキ流出がスムーズなボールペンチップを提供することにある。
【０００８】
【課題を解決するための手段】
本発明は、前記問題を解決するために、底壁の中央にインキ流通孔、該インキ流通孔から放射状に延びる放射状溝を有するボール抱持室内にボールを挿置し、チップ先端部を内側にかしめることにより、ボールの一部をチップ先端部より突出させて回転自在に抱持してなるボールペンチップにおいて、前記ボール抱持室の内壁をチップ先端開口部に向けて徐々に拡径するテーパー状に形成するとともに、前記ボール抱持室のチップ先端開口部近傍に空間部を形成する。
【０００９】
また、前記ボール抱持室の内壁に、軸心方向に延び、チップ先端開口部に達しない凹み溝を形成する。
【００１０】
また、前記ボールペンチップが、低粘度の油性インキ又は剪断減粘性を付与したインキを収容したボールペンのペン先部に用いる。
【００１１】
【発明の実施の形態】
図１〜３に示す第１の実施の形態のボールペンチップ１は、ボール抱持室２の中央にインキ流通孔５と該インキ流通孔５に連通する放射状に延びた放射状溝６を有した底壁４にボール９を載置し、チップ先端部７を内側にかしめることにより、ボール９の一部がチップ先端部７より突出するように回転自在に抱持する。
【００１２】
ボール抱持室２の内壁３は、チップ先端開口部２ａに向かって徐々に拡径するテーパー状に形成するとともに、内壁３にチップ先端開口部２ａに達しない軸心方向に延びる凹み溝８を形成する。ボール抱持室２の内壁３をチップ先端開口部２ａに向かって徐々に拡径するテーパー状に形成してあるので、チップ先端開口部２ａ側から、押圧加工や切削加工によって容易に凹み溝８を形成することができる。
【００１３】
また、ボール抱持室の内壁３をチップ先端開口部２ａに向かって徐々に拡径するテーパー状に形成することにより、チップ先端部７を内側にかしめると、チップ先端開口部２ａの近傍にボールとチップ内壁との間隙との空間部１０を大きく形成することができる。この空間部１０がインキ流路及びインキ溜まり部となり、筆記時にチップ先端からのインキ流出をスムーズにすることができる。また、底壁近傍の空間部１１からチップ先端開口部近傍の空間部１０までの間隙１２も大きく形成することができる。
【００１４】
さらに、内壁３にチップ先端開口部２ａに達しない軸心方向に延びる凹み溝８を形成することにより、凹み溝８がインキ流路やインキ溜め部となるだけでなく、毛細管現象などの効果も得られチップ先端開口部２ａ近傍の空間部１０にインキが溜まり易くなる。本発明の凹み溝８は、チップ先端開口部２ａに達すると、チップ先端開口部２ａからのインキ漏れや筆跡のムラ等が発生するため、チップ先端開口部２ａに達しないことが肝要である。
【００１５】
本実施の形態では、ボール座を形成しないボールペンチップ形状としてあるが、ボール座を形成したものであってもよい。またコイルスプリング等によりボールを常にチップ先端の内壁に押圧するものであっても良い。
【００１６】
また、図示はしていないが、本発明のボールペンチップを、低粘度の油性インキ又は剪断減粘性を付与したインキを用いるボールペンのペン先部として使用する場合は、空気を脱泡する遠心工程において、ボール抱持室内の空気を排出し易い。
【００１７】
【発明の効果】
本発明のボールペンチップは、前述したような構造なので、チップ先端からインキ流出がスムーズなボールペンチップを提供することができた。
【図面の簡単な説明】
【図１】第１の実施の形態における、ボールペンチップの一部省略した要部拡大縦断面図である。
【図２】図１におけるかしめ前の状態を示す一部省略した要部拡大縦断面図である。
【図３】図１におけるＡ−Ａ拡大断面図である。
【図４】従来のボールペンチップの一部省略した要部拡大縦断面図である。
【符号の説明】
１、１１　ボールペンチップ
２、１２　ボール抱持室
２ａ、１２ａ　チップ先端開口部
３、１０３　内壁
４、１０４　底壁
５、１０５　インキ流通孔
６、１０６　インキ流通溝
７、１０７　チップ先端部
８、１０８　凹み溝
９、１０９　ボール
１０、１１０　空間部
１１、１１１　空間部
【図１】
2004017379.tif 000003
【図２】
2004017379.tif 000004
【図３】
2004017379.tif 000005
【図４】
2004017379.tif 000006